(57)【特許請求の範囲】
【請求項１】
熱可塑性合成樹脂発泡体からなる芯板の上下両面にアルミニウム等からなる硬質表面板が積層一体化されてなる蓋本体の周縁に、エッジプロテクターが設けられてなるエッジプロテクター付き風呂蓋において、
前記エッジプロテクターは前記芯板を構成する熱可塑性合成樹脂と相溶性を有する熱可塑性合成樹脂からなると共に射出成形により蓋本体と一体成形され、前記芯板端面とこの端面に対応する前記エッジプロテクター内面とが溶着されてなることを特徴とするエッジプロテクター付き風呂蓋。
【請求項２】
前記硬質表面板は表面化粧層を備え、該表面化粧層が前記エッジプロテクターを構成する熱可塑性合成樹脂と相溶性のある熱可塑性合成樹脂からなる請求項１に記載のエッジプロテクター付き風呂蓋。
【請求項３】
前記エッジプロテクターは、軟質ポリエチレンからなる一方、前記芯板はポリエチレン低発泡体からなる請求項１又は請求項２のいずれかに記載のエッジプロテクター付き風呂蓋。
【発明の詳細な説明】
【０００１】
【産業上の利用分野】
この発明は、風呂蓋、特に蓋本体周縁の損傷防止や滑り止め等の目的で蓋本体の周縁にエッジプロテクターが設けられ、単数あるいは複数枚を組み合わせて用いられるエッジプロテクター付き風呂蓋に関する。
【０００２】
【従来の技術】
従来、この種の風呂蓋として、図４及び図５に示すように、熱可塑性合成樹脂発泡体からなる芯板（５３）（６３）の上下両面にアルミニウム薄板からなる硬質表面板（５４）（５４）（６４）（６４）が積層一体化されてなる蓋本体（５１）（６１）の周縁に、棒状のエッジプロテクター（５１）が巻き付けられ接着剤（５９）によって一体的に取り付けられてなる風呂蓋（５０）や、蓋本体（６１）の周縁より幾分短めのループ状エッジプロテクター（６２）が強制的に嵌着されて着脱自在に取り付けられてなる風呂蓋（６０）が知られている（特開平８−１０３３８９号公報、特開平８−２７５８９１号公報等参照）。
【０００３】
このような風呂蓋（５０）におけるエッジプロテクター（５２）（６２）は、図４（ロ）及び図５（ロ）に示すように、いずれも断面視ほぼコ字状形状を呈し、蓋本体（５１）（６１）周端面の損傷だけでなく、露出した蓋本体（５１）（６１）の端面による浴槽上面の損傷をも防止し、また浴槽上面に載置された風呂蓋（５０）（６０）の滑り止めの役目も果たすものである。
【０００４】
【発明が解決しようとする課題】
而して、上記前者の風呂蓋（５０）、すなわち、接着剤によってエッジプロテクター（５２）が取り付けられてなる風呂蓋（５０）は、エッジプロテクター（５２）が蓋本体（５１）に強固に固着されうるので、取扱中にエッジプロテクター（５２）に不本意にも大きな外力が作用した場合にもエッジプロテクター（５２）が蓋本体から外れる虞がないという点においては優れているものである。
【０００５】
しかしながら、前記エッジプロテクター（５２）の蓋本体（５１）への取り付けは、断面コ字状のエッジプロテクター（５２）を蓋本体（５１）の周縁に嵌め合わせながら巻き回しかつ接着することによって行わなければならないので、いささか面倒である。しかも、エッジプロテクター（５２）の両端は、互いに突き合わせ状態の継ぎ目となり、このような継ぎ目が露出していること自体がいかにも外観体裁が悪い。
【０００６】
一方、後者の風呂蓋（６０）、すなわち、ループ状エッジプロテクター（６２）が蓋本体に着脱自在に取り付けられてなる風呂蓋（６０）は、前者の風呂蓋（５０）のようなエッジプロテクター（６２）の端末における継ぎ目が存在しないので、外観体裁が良好であることに加えて、エッジプロテクター（６２）が汚損した場合に、エッジプロテクター（６２）を任意に取り替えることができるので、経済的であるという利点を有している。
【０００７】
しかしながら、エッジプロテクター（６２）の交換が可能ではあるものの、エッジプロテクター（６２）が不本意に蓋本体（６１）から外れないためには、エッジプロテクター（６２）がかなり強い弾性反発力で蓋本体（６１）に取着されていることを要し、そのようなエッジプロテクター（６２）の蓋本体（６１）への取付、交換は、必ずしも容易なものではない。
【０００８】
また、いずれの風呂蓋（５０）（６０）もその製造には、蓋本体（５１）（６１）の製造工程、エッジプロテクター（５２）（６２）の製造工程及びエッジプロテクター（５２）（６２）の蓋本体（５１）（６１）への取付工程を要するものであり、何らかの形で製造の合理化を図ることが望まれていた。
【０００９】
この発明は、上記事情に鑑みてなされたものであり、風呂蓋の製造を合理化することにより生産性の向上を図るとともに、エッジプロテクターが蓋本体に強固に固着されてなるエッジプロテクター付き風呂蓋を提供することを目的とする。
【００１０】
【課題を解決するための手段】
而して、上記目的を達成するために、この発明に係るエッジプロテクター付き風呂蓋は、エッジプロテクターの製造とその蓋本体への取付とを一挙に行うことができる構成を採用した。
【００１１】
すなわち、この発明に係るエッジプロテクター付き風呂蓋は、熱可塑性合成樹脂発泡体からなる芯板の上下両面にアルミニウム等からなる硬質表面板が積層一体化されてなる蓋本体の周縁に、エッジプロテクターが設けられてなるエッジプロテクター付き風呂蓋において、前記エッジプロテクターは前記芯板を構成する熱可塑性合成樹脂と相溶性を有する熱可塑性合成樹脂からなると共に射出成形により蓋本体と一体成形され、前記芯板端面とこの端面に対応する前記エッジプロテクター内面とが溶着されてなる構成を採用する。
【００１２】
このエッジプロテクター付き風呂蓋によれば、前記エッジプロテクターは前記芯板を構成する熱可塑性合成樹脂と相溶性を有する熱可塑性合成樹脂からなると共に射出成形により蓋本体と一体成形されるので、エッジプロテクターの製作とその蓋本体への取付を一挙に行うことができ、製造に伴う手間が省かれ生産性の向上を図ることができる。しかも、前記芯板端面とこの端面に対応する前記エッジプロテクター内面とが溶着されてエッジプロテクターが蓋本体に強固に固着されているので、エッジプロテクターに不本意にも大きな外力が作用した場合であっても、エッジプロテクターが蓋本体から外れることはない。
【００１３】
また、前記硬質表面板は表面化粧層を備え、該表面化粧層が前記エッジプロテクターを構成する熱可塑性合成樹脂と相溶性のある熱可塑性合成樹脂からなる場合には、エッジプロテクターの内側上下面が、蓋本体の上下面外周縁部における表面化粧層と溶着一体化されることとなり、エッジプロテクターが蓋本体により一層強固に固着される。
【００１４】
さらに、前記エッジプロテクターは、軟質ポリエチレンからなる一方、前記芯板はポリエチレン低発泡体からなる場合には、比較的低価格でエッジプロテクター付き風呂蓋を製造することができるとともに、風呂蓋を浴槽上に載置した際の滑り抵抗が増し、安全性に優れたものとなる。
【００１５】
【発明の実施の形態】
以下、この発明に係るエッジプロテクター付き風呂蓋を図示実施形態に基づいて説明する。
【００１６】
図１及び図２に示すように、この発明に係るエッジプロテクター付き風呂蓋は、平板状の蓋本体（１）と、その周縁に沿って設けられた枠状のエッジプロテクター（２）とからなる。
【００１７】
蓋本体（１）は、芯板（３）と、その上下両面に積層一体化された硬質表面板（４）とを備えた平面視ほぼ方形の板状に形成され、その四隅が面取りされている。この蓋本体（１）は、一枚または複数枚によって図示しない浴槽の開口部を覆い得る大きさに形成されている。
【００１８】
前記芯板（３）は、熱可塑性合成樹脂発泡体、例えばポリエチレン樹脂、ポリプロピレン樹脂等の保温性に富んだ発泡体から作製される一方、硬質表面板（４）は、芯板（３）の保形、損傷防止等のために、例えばアルミニウム薄板や硬質合成樹脂等の硬質の材料から作製されている。また、この硬質表面板（４）は、その表面に後述するエッジプロテクター（２）を構成する熱可塑性合成樹脂と相溶性のある熱可塑性合成樹脂、例えばエッジプロテクター（２）を構成する熱可塑性樹脂と同じ熱可塑性合成樹脂から作製される表面化粧層（５）が形成されている。
【００１９】
エッジプロテクター（２）は、前記蓋本体（１）の芯板（３）を構成する熱可塑性合成樹脂と相溶性のある熱可塑性合成樹脂から成形されている。すなわち、例えばポリエチレン樹脂製の芯板（３）に対してはポリエチレン樹脂またはオレフィン系熱可塑性エラストマーから作製されるエッジプロテクター（２）が、またポリプロピレン樹脂製の芯板（３）に対してはポリプロピレン樹脂またはオレフィン系熱可塑性エラストマーから作製されるエッジプロテクター（２）が採用される。また、エッジプロテクター（２）は、図２に示すように断面視において蓋本体（１）側に溝部（６）を有するほぼコ字状形状に形成されている。
【００２０】
なお、風呂蓋が浴槽上に載置された場合において風呂蓋の滑りを防止する観点から、エッジプロテクターは、滑り抵抗の大きな素材から形成されることが望ましく、さらに価格の面からも軟質ポリエチレン樹脂からなるものを用いることが望ましい。
【００２１】
このエッジプロテクター（２）は、射出成形により蓋本体（１）の周縁の全体にわたって、前記溝部（６）に蓋本体（１）の周縁が嵌入された態様で、直接かつ一体的に形成される。すなわち、先ず図３に示すように、蓋本体（１）の周縁に沿って形成された上下二つの金型（１０）（１１）間に蓋本体（１）を位置決めして挿入する。次に、前記上下両金型（１０）（１１）を完全に閉じ合わせ、該閉じ合わせ状態において溶融した熱可塑性合成樹脂を射出する。該溶融樹脂は、図示しないスプルーからランナーを通り、ピンゲート（１５）を経てキャビネット内に充満する。その後、これを冷却し、金型から突き出して、成形を完了する。これら一連の過程において、前記エッジプロテクター（２）の溝部（６）底面である縁内面と前記蓋本体（１）の芯板（３）端面とが溶着一体化せしめられることとなる。また、表面化粧層（５）のエッジプロテクター（２）に対応する周縁部分も、エッジプロテクター（２）の溝部（６）側面と溶着される。図２中（８）（９）は、エッジプロテクター（２）と芯板（３）、表面化粧層（５）との溶着部分である。なお、金型（１０）（１１）は、複数パーツが蓋本体（１）の周方向に組み合わせてなるものであり、これらのパーツの一部を取り外しまたは異なる長さのパーツに取り換えることにより、種々の大きさの蓋本体に対応することができるものとなされている。
【００２２】
上記エッジプロテクター付き風呂蓋によれば、エッジプロテクター（２）は、前記蓋本体（１）の芯板（３）を構成する熱可塑性合成樹脂と相溶性のある熱可塑性合成樹脂からなり、射出成形により蓋本体（１）の周縁に一体的に形成され、該形成過程においてエッジプロテクター（２）の縁内面と前記蓋本体（１）の芯板（３）端面とが溶着されるので、エッジプロテクター（２）をその形成と蓋本体（１）への固着を一挙に行うことができ、エッジプロテクター付き風呂蓋を合理的に製造することができる。すなわち、エッジプロテクター付き風呂蓋の生産性を向上させることができる。また、前記エッジプロテクター（２）の縁内面と前記蓋本体（１）の芯板（３）端面とが溶着一体化されているので、エッジプロテクター（２）は、蓋本体（１）の周縁に強固に固着され、不本意にも大きな外力が作用した場合でも蓋本体（１）から外れることはない。
【００２３】
また、硬質表面板（４）の表面にエッジプロテクター（２）を構成する熱可塑性合成樹脂と相溶性のある熱可塑性合成樹脂からなる表面化粧層（５）が形成されているので、エッジプロテクター（２）は、芯板（３）端面とだけでなく硬質表面板（４）の周縁においても溶着一体化され、より強固に固着させることができるとともに、蓋本体（１）端面の水密を図ることができる。
【００２４】
なお、以上にこの発明に係るエッジプロテクター付き風呂蓋の実施形態を説明したが、本発明は上述した実施形態に限定されるものでなく、本発明の趣旨を逸脱しない範囲において種々の変更が可能である。例えば、次のような変更が可能である。
【００２５】
本実施形態においては、芯板（３）とエッジプロテクター（２）は、同種の熱可塑性合成樹脂から形成されるものとなされているが、本発明はこれに限定されるものでなく、相溶性のある熱可塑性合成樹脂からなるものであればそれぞれ異種材料からなるものであっても良い。
【００２６】
【発明の効果】
この発明に係るエッジプロテクター付き風呂蓋は、上述のように、エッジプロテクターの形成とともに、該エッジプロテクターが蓋本体に一挙に取り付けられるので、取付や接着のための手間や時間を省いて合理的に製造するこができ、エッジプロテクター付き風呂蓋の生産性の向上を図ることができる。また、エッジプロテクターの縁内面と蓋本体の芯板端面とが溶着されているので、エッジプロテクターが蓋本体に強固に固着される。従って、エッジプロテクターに不本意にも大きな外力が作用した場合でも、エッジプロテクターが蓋本体から外れることはなく、使い勝手の良いものとなる。
【００２７】
また、前記硬質表面板は表面化粧層を備え、該表面化粧層が前記エッジプロテクターを構成する熱可塑性合成樹脂と相溶性のある熱可塑性合成樹脂からなる場合には、エッジプロテクターが硬質表面板外周縁の表面化粧層とも溶着され、エッジプロテクターが蓋本体により一層強固に固着される。
【００２８】
さらに、前記エッジプロテクターは、軟質ポリエチレンからなる一方、前記芯板はポリエチレン低発泡体からなる場合には、その汎用性から比較的に低価格で製造することができるとともに、風呂蓋を浴槽上に載置した際の滑り抵抗が増し、より安全性に優れたものとなる。
【図面の簡単な説明】
【図１】この発明に係るエッジプロテクター付き風呂蓋の一実施形態を示す平面図である。
【図２】図１のＩＩ−ＩＩ線断面図である。
【図３】この発明に係るエッジプロテクター付き風呂蓋における製造途中の状態を示す断面図である。
【図４】図（イ）は、従来のエッジプロテクター付き風呂蓋においてエッジプロテクターの取付半ばの状態を示す斜視図である。図（ロ）は、図（イ）のＩＶ−ＩＶ線断面図である。
【図５】図（イ）は、従来の他のエッジプロテクター付風呂蓋においてエッジプロテクターの取付半ばの状態を示す斜視図である。図（ロ）は、図（イ）のＶ−Ｖ線断面図である。
【符号の説明】
１…蓋本体
２…エッジプロテクター
３…芯板
４…硬質表面板
５…表面化粧層
【図１】
0003590344.tif 000002
【図２】
0003590344.tif 000003
【図３】
0003590344.tif 000004
【図４】
0003590344.tif 000005
【図５】
0003590344.tif 000006